(57)【要約】【課題】ユーザによる入力操作開始時間を短縮化するとともに、正確でない原稿サイズに基づいて、原稿サイズを利用する処理が実行されるのを防止できる画像処理装置を提供する。【解決手段】入力部６と、キャリッジ１４を備えたスキャナ１を備え、更に、電源投入時に、キャリッジ１４が初期位置に有る場合には入力部６による、原稿サイズを利用する処理を指示する指示情報の入力を有効化し、キャリッジ１４が初期位置に無い場合には、原稿サイズを利用する処理を指示する指示情報の入力を無効化し、キャリッジ１４を初期位置に戻した後、入力部６による上記指示情報の入力を有効とする制御を行う制御部３を備える。従って、キャリッジ１４が初期位置に有る場合には入力操作開始時間を短縮化でき、キャリッジ１４が初期位置に無い場合にはキャリッジ１４を初期位置に戻した後に、上記指示情報の入力を受け付けることができる。【選択図】図１
2007206624.tif 000002
【特許請求の範囲】
【請求項１】
原稿セット台にセットされた原稿の原稿サイズを、前記原稿セット台の近傍の初期位置から、キャリッジが移動することにより、検出するスキャナを備える画像処理装置であって、
前記キャリッジの位置を検出するキャリッジ位置検出手段と、
原稿サイズを利用する処理を指示する指示情報を入力する入力手段と、
前記入力手段により入力された指示情報に基づいて前記スキャナに原稿サイズの検出処理を行わせ、検出された原稿サイズに基づいて前記原稿サイズを利用する処理を実行する制御手段とを備え、
前記制御手段は、
前記画像処理装置の電源投入時に、前記キャリッジ位置検出手段により検出されたキャリッジの位置が前記初期位置にあるか否かを判定し、前記キャリッジ位置が前記初期位置にある場合は、前記画像処理装置を構成する各ユニットの初期化処理の実行に先がけて、前記入力手段による入力を有効化し、前記キャリッジ位置が前記初期位置にない場合は、前記各ユニットの初期化処理の実行を優先して行い、前記キャリッジ位置が前記初期位置にあると判定されるまで前記入力手段による入力を無効化することを特徴とする画像処理装置。
【発明の詳細な説明】
【技術分野】
【０００１】
本発明は、画像処理装置に関し、特に、原稿セット台にセットされた原稿のサイズをキャリッジが移動することで検出し、原稿サイズを利用する処理を指示する情報に基づいて上記処理を実行する画像処理装置に関する。
【背景技術】
【０００２】
たとえば、画像読み取り用のスキャナを備えた孔版印刷装置等の装置では、特開２００５−１７８０８３号公報（特許文献１）に示されているように、上記装置の電源投入時に、まず、上記装置内の制御ユニットの初期化の後、各種のオプション接続の確認を行い、更に、スキャナ、製版部等の孔版印刷装置を構成する各ユニットの初期化を行い、それが完了してから、ユーザが入力操作を行う入力部による入力を可能とするので、電源投入後、ユーザによる製版、印刷等の操作が有効となるまでの時間、即ち入力操作の開始が可能となるまでの時間（以下、「入力操作開始時間」という）に長時間を要するという問題があった。
【０００３】
そこで、電源投入後、各ユニットの初期化を行うと同時に入力部による入力を有効とすることにより、入力操作開始時間を短縮化する方法が考案されている。
【特許文献１】特開２００５−１７８０８３号公報
【発明の開示】
【発明が解決しようとする課題】
【０００４】
ここで、原稿サイズを利用する処理が行われる場合には、原稿サイズを検出する必要があるが、スキャナにセットされた原稿のサイズを検出する場合、スキャナに設けられたキャリッジを用いる方法がある。この原稿サイズの検出は、キャリッジが所定の初期位置から、移動することにより行われる。そして、入力部に原稿サイズを利用する処理を指示する情報が入力されると、上記指示する情報に基づいて検出された原稿サイズが原稿サイズを利用する処理の実行に用いられる。
【０００５】
しかし、異常時における電源ダウンなどの原因により、装置の電源投入時に、キャリッジが初期位置に存在しないときに、上記指示情報が制御ユニットに入力されると、その後、キャリッジが移動しても、原稿サイズが正確に検出できない場合があり、その後、正確でない原稿サイズに基づいて、原稿サイズを利用する処理が実行されることがある。このような事態を防止するため、電源投入時に、キャリッジが初期位置に存在しないときには、原稿サイズを利用する処理を指示する指示情報が制御ユニットに入力されないようにすることが考えられる。
【０００６】
このように、従来では、キャリッジが初期位置に存在しないときには、上記指示情報が制御ユニットに入力されないようにして、正確でない原稿サイズに基づいて、原稿サイズを利用する処理が実行される事態を防止できる画像処理装置の開発が望まれていた。
【０００７】
本発明は、このような従来の課題を解決するためになされたものであり、ユーザによる入力操作開始時間を短縮化するとともに、正確でない原稿サイズに基づいて、原稿サイズを利用する処理が実行されるのを防止することができる画像処理装置を提供することを目的とする。
【課題を解決するための手段】
【０００８】
上記目的を達成するため、本発明は、原稿セット台にセットされた原稿の原稿サイズを、前記原稿セット台の近傍の初期位置から、キャリッジが移動することにより、検出するスキャナを備える画像処理装置であって、前記キャリッジの位置を検出するキャリッジ位置検出手段と、原稿サイズを利用する処理を指示する指示情報を入力する入力手段と、前記入力手段により入力された指示情報に基づいて前記スキャナに原稿サイズの検出処理を行わせ、検出された原稿サイズに基づいて前記原稿サイズを利用する処理を実行する制御手段とを備え、前記制御手段は、前記画像処理装置の電源投入時に、前記キャリッジ位置検出手段により検出されたキャリッジの位置が前記初期位置にあるか否かを判定し、前記キャリッジ位置が前記初期位置にある場合は、前記画像処理装置を構成する各ユニットの初期化処理の実行に先がけて、前記入力手段による入力を有効化し、前記キャリッジ位置が前記初期位置にない場合は、前記各ユニットの初期化処理の実行を優先して行い、前記キャリッジ位置が前記初期位置にあると判定されるまで前記入力手段による入力を無効化することを特徴とする。
【発明の効果】
【０００９】
本発明に係る画像処理装置では、電源投入時に、スキャナのキャリッジが初期位置に有ると判定されたときには、原稿サイズを利用する処理を指示する指示情報の入力が有効となった後に、各ユニットの初期化を開始するので、電源投入から操作開始可能までの入力操作開始時間を短縮化することができ、ユーザを長時間待たせることが無い。
【００１０】
また、キャリッジが初期位置に無いと判定されたときには、各ユニットの初期化を開始し、スキャナのキャリッジが初期位置にあると判定されるまで、すなわち、正確な原稿サイズの検出ができる状態になるまで、原稿サイズを利用する処理を指示する指示情報の入力が無効にされるので、正確でない原稿サイズに基づいて、原稿サイズを利用する処理が実行されるのを防止することができる。
【００１１】
さらに、上述のような指示情報の入力の無効（たとえば、ユーザによる入力操作の無効）により、ユーザに対して、入力した情報が有効なのか無効なのかといった誤解を与えることがなく、上記指示情報の入力操作に関する混乱を与えることがない。
【発明を実施するための最良の形態】
【００１２】
以下、本発明の実施形態を図面に基づいて説明する。図１は、本発明の一実施形態に係る画像処理装置機能を備えた孔版印刷装置１１の構成例を示すブロック図である。孔版印刷装置１１は、スキャナ１と、画像処理部２と、孔版印刷装置１１の総括的な制御を行う制御部（ＣＰＵ）３と、制御部３による処理に用いるワークエリアとしてのＲＡＭ４と、孔版印刷装置１１の制御プログラムを記憶するＲＯＭ５を備えている。なお、本発明では、制御部３、ＲＡＭ４、ＲＯＭ５を制御システムと総称する。
【００１３】
更に、孔版印刷装置１１は、ユーザの入力操作に基づいて各種の指示を入力する入力部６と、孔版印刷装置１１における各種の情報を表示する表示部（図示せず）と、製版部７と、給紙部８と、排紙部９と、印刷部１０とを備えている。
【００１４】
図２は、スキャナ１の構成、動作を説明するための図であり、同図（ａ）はキャリッジ１４が初期位置に存在する場合、同図（ｂ）はキャリッジ１４が初期位置に存在しない場合を示している。図示のように、スキャナ１は、原稿１２を読み取る光学系（図示省略）、突き当て板１７、キャリッジ１４、及びキャリッジ位置検出手段（図示省略）を備えており、原稿セット台１３上に載置された原稿１２の画像データを読み取る。更に、原稿セット台１３上に載置された原稿サイズを自動的に読み取る原稿サイズ用センサ１５を備えている。また、上記キャリッジ位置検出手段は、孔版印刷装置１１の電源が投入された際に、キャリッジ１４が初期位置にあるか否かを検出することもできる。
【００１５】
キャリッジ１４は、原稿セット台１３にセットされた原稿１２の原稿サイズを、原稿セット台１３の近傍の初期位置から移動可能な構成である。具体的なスキャナ１の構成の説明の一例としては、以下のとおりである。スキャナ１においては、原稿セット台１３上に原稿１２の端を突き当てるための突き当て板１７が配置されている。そして、キャリッジ１４の初期位置（ホームポジション位置）は、たとえば、原稿セット台１３（たとえば、光透過性のもの）の下であって、突き当て板１７の下の位置に設けられている（たとえば、図２（ａ）の位置）。そして、スキャナ１においては、キャリッジ１４が原稿セット台１３の下を移動可能な構成となっている。また、スキャナ１において、キャリッジ１４が移動可能な領域の下部には、光を発光するとともに、反射した光を受光する原稿サイズ用センサ１５が、キャリッジ１４の移動方向に沿って複数配置されている。
【００１６】
キャリッジ１４の移動により、原稿サイズを検出できるための動作は、以下のとおりである。原稿セット台１３上に原稿がセットされた後、ユーザの操作により、入力部６により、たとえば、自動トレイ選択処理や自動倍率選択処理等の、原稿サイズを利用する処理を指示する指示情報が入力されると、制御部３は、スキャナ１に原稿サイズ検出処理を行わせる。この検出処理により検出された原稿サイズが、制御部３による原稿サイズを利用する処理の実行に用いられる。なお、制御部３は、スキャナ１に周期的に原稿サイズの検出処理を行わせているが、上記指示情報に基づいて行われた上記検出処理の結果、検出された原稿サイズが、原稿サイズを利用する処理の実行に用いられる。上記指示情報が入力されると、この入力時点で制御部３は、原稿サイズ用センサ１５を動作させ、光を発光させる。そして、原稿サイズ用センサ１５から発光された光が原稿１２で反射して受光すると、原稿サイズ用センサ１５は原稿ありというオン信号を制御部３に送信する。一方、原稿サイズ用センサ１５から発光された光が受光されないと、原稿サイズ用センサ１５は原稿なしというオフ信号を送信する。そして、制御部３は、キャリッジ１４に移動動作を行わせ、キャリッジ１４が原稿の縦横方向に移動することで、オン信号を送信している原稿サイズ用センサ１５の組み合わせ情報と、オフ信号を送信している原稿サイズ用センサ１５の組み合わせ情報とを検出し、制御部３に送る。制御部３は、送られてきた組み合わせ情報に基づいて、原稿のサイズを決定する。
【００１７】
ここで、たとえば、ユーザの操作により、入力部６により原稿サイズを利用する処理を指示する指示情報が入力されたとき、キャリッジ１４が図２（ｂ）に示すように、初期位置におらず、原稿１２と対向しない位置にある場合には、原稿１２と対向しない原稿サイズ用センサ１５からの光は、キャリッジ１４で反射され原稿サイズ用センサ１５で受光され、オフ信号を送信すべき場合であるのにオン信号を送信してしまい、その後のキャリッジ１４の移動により決定される原稿サイズが誤ってしまう場合がある。このため、本実施形態では、キャリッジ１４が初期位置に存在しないときには、ユーザによる操作により、原稿サイズを利用する処理を指示する指示情報が入力部６に入力されても、制御部３がその入力を無効にしている。
【００１８】
また、キャリッジ位置検出手段は、初期位置を含む、キャリッジ１４が移動可能な領域の複数の位置に、それぞれ配置されたキャリッジ位置検出センサーで構成され、キャリッジ１４があると検出したキャリッジ位置検出センサーが検出信号を制御部３に送る。これにより、制御部３は、検出信号を送ってきたキャリッジ位置検出センサーの位置により、キャリッジの位置を認識できる。
【００１９】
画像処理部２は、スキャナ１で読み取られた画像データに二値化処理等の各種の画像処理を加え、孔版原紙を製版する製版データを生成する。
【００２０】
制御部３は、ＲＯＭ５に記憶された制御プログラムに基づいて孔版印刷装置１１の各部を制御する。更に、孔版印刷装置１１の電源が投入された際には、後述する手順により、孔版印刷装置１１を構成するスキャナ１、製版部７等の各ユニットの初期化処理、オプション接続確認処理、及びスキャナ１のキャリッジ位置に応じた入力部６による入力の有効／無効の制御処理を行う。更に、制御部３は、スキャナ１により検出された原稿サイズに基づき、自動トレイ選択、自動倍率変更等の原稿サイズを利用する処理を実行する。
【００２１】
入力部６は、ユーザによる入力操作が可能な操作パネル（図示せず）を含み、ユーザによる入力操作により、各種の情報を入力する。
【００２２】
製版部７は、画像処理部２で画像処理された製版データに基づいて孔版原紙を製版する処理を行う。印刷部１０は、印刷ドラム（図示省略）を備え、該印刷ドラムに製版部７で製版された孔版原紙を着版し、給紙部８より給紙される印刷用紙に印刷する処理を行う。
【００２３】
給紙部８は、印刷部１０に印刷用紙を供給し、排紙部９は印刷部１０で印刷された印刷用紙を排出する。
【００２４】
次に、本実施形態に係る孔版印刷装置１１の処理動作を、図３に示すフローチャートを参照して説明する。
【００２５】
電源が投入されると、ステップＳ１では、制御部３はＲＡＭクリア等、制御システムの初期化を行う。
【００２６】
ステップＳ２では、制御部３はオプション接続の確認を行う。たとえば、孔版印刷装置１１に接続されたソータ（図示省略）、コレータ（図示省略）等の各種オプションを確認する。
【００２７】
ステップＳ３では、制御部３はスキャナ１のキャリッジ１４の位置が初期位置にあるか否かを判定する。これは、スキャナ１が有するキャリッジ位置検出手段により検出された信号に基づいて制御部３は、キャリッジ１４が初期位置にあるか否かの判定を行う。キャリッジ１４が初期位置に有る場合には、ステップＳ４に処理を進め、キャリッジ１４が初期位置に無い場合には、ステップＳ６に処理を進める。
【００２８】
ステップＳ４では、制御部３は、入力部６による入力を有効（具体的には、操作パネルの操作が有効になる）にし、更にステップＳ５では、孔版印刷装置１１を構成する各ユニットの初期化を行う。従って、スキャナ１のキャリッジ１４の位置が初期位置にあると判定した時点で、入力部６の入力が有効となり、電源が投入されてから入力部６による入力が有効になるまでの入力操作開始時間が短縮化される。
【００２９】
他方、ステップＳ６にて、制御部３は、入力部６による原稿サイズを利用する処理を指示する指示情報の入力を無効化する処理を行う。即ち、ユーザが入力部６にて入力した場合であっても、この入力は、制御部３に送られない。
【００３０】
ステップＳ７にて、制御部３は、孔版印刷装置１１を構成する各ユニットの初期化を行う。これにより、スキャナ１はキャリッジ１４を初期位置に戻す動作から初期化を行い、ステップＳ８で制御部３は、キャリッジ検出手段により検出された検出信号を監視し、キャリッジ１４が初期位置に戻った（初期位置にある）と判定した場合には、ステップＳ９にて制御部３は入力部６による入力を有効にする。即ち、制御部３は、キャリッジ１４が初期位置にあることを確認した後に、入力部６の入力を有効にする。
【００３１】
このようにして、本実施形態に係る画像処理装置（孔版印刷装置１１）では、電源投入時にスキャナ１のキャリッジ位置が初期位置にあるか否かを判定し、キャリッジ１４が初期位置に有る場合には、入力部６による入力を有効とした後に、各ユニットの初期化を実行するので、入力操作開始時間を短縮化することができる。これにより、正常に装置の電源がオフされ、その後電源をオンにした場合などにおいては、ユーザは電源投入後長時間待つことなく原稿サイズを利用する処理を指示する指示情報等、各種の情報の入力を行うことができる。
【００３２】
また、たとえば、装置の異常時における電源オフから、電源オンされた場合のように、キャリッジ１４が初期位置に無い場合には、まずスキャナ１を含む各ユニットの初期化を行い、スキャナ１のキャリッジ１４が初期位置にあることを確認した後に、入力部６による入力を有効とする。従って、スキャナ１による正確な原稿サイズの検出ができない場合では、入力部６（入力手段）による入力は無効とされる。
【００３３】
すなわち、キャリッジが初期位置に無いと判定されたときには、各ユニットの初期化を開始し、スキャナのキャリッジが初期位置にあると判定されるまで、すなわち、正確な原稿サイズの検出ができる状態になるまで、自動トレイ選択、自動倍率変更等の原稿サイズを利用する処理を指示する指示情報の入力が無効にされる。従って、正確でない原稿サイズに基づいて、原稿サイズを利用する処理が実行されることを防止できる。
【００３４】
さらに、上述のような指示情報の入力の無効（たとえば、ユーザによる入力操作の無効）により、ユーザに対して、入力した情報が有効なのか無効なのかといった誤解を与えることがなく、指示情報の入力操作に関する混乱をユーザに与えることを回避できる。
【００３５】
更に、本実施形態の変形例として、ステップＳ６における、入力部６による入力の無効化を行った場合に、原稿サイズを利用する処理を指示する指示情報の入力操作の無効を示す情報を表示パネル（図示省略）に表示させ、他方、ステップＳ４，Ｓ９にて、入力部６による入力が有効化されている場合には、原稿サイズを利用する処理を指示する指示情報の入力操作が有効であることを示す旨を表示部で表示させておくことも可能である。このような構成を採ることにより、ユーザは、上記指示情報について無駄な入力操作をしなくてすむ。
【００３６】
更に、上記変形例の変形として、ステップＳ６における、入力部６による入力の無効化を行った場合に、スキャナ１は、キャリッジ１４の位置、キャリッジ位置からホームポジション位置までの経路を検出し、ホームポジション位置までに戻るまでの距離と、キャリッジ１４の速度とを制御部３に送る。そして、入力部６による上記指示情報の入力の無効化の間制御部３は、送られてきた情報に基づいて、入力無効化の状態から、入力有効化の状態までにかかる時間を算出し、原稿サイズを利用する処理を指示する指示情報の入力操作の無効化の旨とともに、入力有効化の状態になるまでの時間をカウントダウンする表示を、上記表示部に表示するようにしても良い。このような構成を採ることにより、ユーザは、上記指示情報の入力操作の無効がいつ有効になるのか判るので、いつまで無効なのかという余計な不安を与えることがない。
【００３７】
以上、本発明の画像処理装置を図示の実施形態に基づいて説明したが、本発明はこれに限定されるものではなく、各部の構成は、同様の機能を有する任意の構成のものに置き換えることができる。
【００３８】
たとえば、上記した実施形態では、画像処理装置の一例として画像処理機能を備えた孔版印刷装置を例に挙げて説明したが、本発明はこれに限定されるものではなく、スキャナの原稿サイズ検知機能を利用する各種の画像処理装置について適用することができる。
【図面の簡単な説明】
【００３９】
【図１】本発明の一実施形態に係る画像処理装置としての孔版印刷装置の構成例を示すブロック図である。
【図２】図１に示した孔版印刷装置のスキャナの構成、動作を説明するための図であり、（ａ）はキャリッジが初期位置に存在する場合、（ｂ）はキャリッジが初期位置に存在しない場合を示す。
【図３】図１に示した孔版印刷装置の、電源投入時における初期化処理の手順を示すフローチャートである。
【符号の説明】
【００４０】
１  スキャナ
２  画像処理部
３  制御部（ＣＰＵ）
４  ＲＡＭ
５  ＲＯＭ
６  入力部
７  製版部
８  給紙部
９  排紙部
１０  印刷部
１１  孔版印刷装置
１２  原稿
１３  原稿セット台
１４  キャリッジ
１５  原稿サイズ用センサ
１７  突き当て板
【図１】
2007206624.tif 000003
【図２】
2007206624.tif 000004
【図３】
2007206624.tif 000005